(57)【特許請求の範囲】
【請求項１】
高周波信号を出力するアンテナ駆動回路と、前記アンテナ駆動回路から出力される高周波信号を送信するために配設された複数のループアンテナとの間にそれぞれ介設されており、前記アンテナ駆動回路と前記複数のループアンテナのうち、選択した特定のループアンテナとの間を電気的に接続するとともに、残りのループアンテナ間と前記アンテナ駆動回路とを電気的に切断するアンテナ切り替え回路であって、
前記それぞれのアンテナ切り替え回路における入力点は、前記アンテナ駆動回路から出力される高周波信号の出力点と共通に接続されるとともに、その出力点は前記複数のループアンテナの一端にそれぞれ接続され、
前記複数のループアンテナの他端は、アンテナ駆動回路の動作基準点である基準電位にそれぞれ接続され、
各アンテナ切り替え回路における入力点と出力点との間には、第１のコンデンサと第２のコンデンサとかなる直列回路が配設されるとともに、前記第１のコンデンサと第２のコンデンサとの間と、前記基準電位との間には、選択動作時には開放となって前記アンテナ駆動回路から出力される高周波信号を対応するループアンテナに送信し、非選択動作時には前記第１のコンデンサと第２のコンデンサとの接続点と、前記ループアンテナの他端が接続されている前記基準電位とを短絡させて、対応するループアンテナを高周波領域において遮断する半導体スイッチ回路が配設されていることを特徴とするアンテナ切り替え回路。
【請求項２】
前記半導体スイッチ回路は、エミッタが基準電位に接続され、ベースが制御端子に接続され、コレクタが前記第１、第２のコンデンサに接続されているトランジスタと、
前記トランジスタのコレクタにカソードが接続され、前記基準電位にアノードが接続されているダイオードとを有することを特徴とする請求項１に記載のアンテナ切り替え回路。
【請求項３】
前記第２のコンデンサと前記ループアンテナとの接続点と、前記基準電位との間に介設され、選択動作時には前記第２のコンデンサと前記ループアンテナとの接続点と前記基準電位との間を高周波領域において遮断し、非選択動作時には前記第２のコンデンサと前記ループアンテナとの接続点と前記基準電位との間を短絡状態とする第２の半導体スイッチ回路とを設けたことを特徴とする請求項１または２に記載のアンテナ切り替え回路。
【請求項４】
高周波信号を出力するアンテナ駆動回路と、前記アンテナ駆動回路から出力される高周波信号を送信するために配設された複数のループアンテナとの間にそれぞれ介設されており、前記アンテナ駆動回路と前記複数のループアンテナのうち、選択した特定のループアンテナとの間を電気的に接続するとともに、残りのループアンテナ間と前記アンテナ駆動回路とを電気的に切断するアンテナ切り替え回路であって、
前記それぞれのアンテナ切り替え回路における入力点は、前記アンテナ駆動回路から出力される高周波信号の出力点と共通に接続されるとともに、その出力点は前記複数のループアンテナの一端にそれぞれ接続され、
前記複数のループアンテナの他端は、アンテナ駆動回路の動作基準点である基準電位にそれぞれ接続され、
各アンテナ切り替え回路における入力点と出力点との間には、第１のコンデンサと第２のコンデンサとかなる直列回路が配設されるとともに、前記第１のコンデンサと第２のコンデンサとの間と、前記基準電位との間には、選択動作時には開放となって前記アンテナ駆動回路から出力される高周波信号を対応するループアンテナに送信し、非選択動作時には前記第１のコンデンサと第２のコンデンサとの接続点と、前記基準電位とを短絡させて、対応するループアンテナを高周波領域において遮断する第１の半導体スイッチ回路と、
前記ループアンテナの他端と前記基準電位との間に介設され、選択動作時には前記ループアンテナの他端と前記基準電位との間を高周波領域において短絡状態とし、非選択動作時には前記接続点と前記基準電位との間を遮断状態とする複数の第２の半導体スイッチ回路とを有し、
前記複数個の第１及び第２の半導体スイッチ回路とループアンテナとの組み合わせのうち、選択動作している半導体スイッチ回路に接続している高周波信号伝送回路を介して前記アンテナ駆動回路から出力される高周波信号を前記ループアンテナに送信し、非選択動作している半導体スイッチ回路に対応するループアンテナを、前記第１のコンデンサと第２のコンデンサとの接続点から高周波領域において遮断するようにしたことを特徴とするアンテナ切り替え回路。
【発明の詳細な説明】
【技術分野】
【０００１】
本発明はアンテナ切り替え回路に関し、特に、高周波信号の出力回路で複数のループアンテナから特定の１個のアンテナを選択して駆動させるために用いて好適な技術に関する。
【背景技術】
【０００２】
従来、複数のアンテナから特定の１個のアンテナを選択して駆動させるために、種々のアンテナ切り替え回路が提案されている。例えば、特許文献１にて「アンテナ切り替え回路」が提案されている。提案されている「アンテナ切り替え回路」の細部は種々であるが、以下に示すように２つに大別される。
【０００３】
先ず、図５を参照しながら第１の背景技術を説明する。
高周波の信号出力源５１から出力される送信信号を第１のアンテナ１〜第３のアンテナ３のうちから特定のアンテナを選択して供給する場合には切り替えＳＷが用いられていた。
【０００４】
切り替えＳＷには高周波用のリレーＲＬ１〜ＲＬ３が使われていた。この場合、切り替える高周波信号の電力は大きくできる利点があるものの、高価であり、切り替え動作回数に寿命の制限がある欠点があった。
【０００５】
更に、詳細に説明すると、リレーＲＬ１〜ＲＬ３はロスが少ない、リークが少ない、低歪、制御が簡単である等の利点を有している。しかしながら、サイズが大きい、コストが高い、機械式のため動作寿命の制限があり、それに加えて、切り替え時間に数ミリ秒という長い時間を必要とするので、切り替え動作が遅い等の問題点があった。
【０００６】
前述のような問題点を解消可能なアンテナ切り替え回路としてダイオードを使用した回路が用いられている。
図６は、第２の背景技術を説明する回路図である。
この例の場合は、高周波の信号出力源６１から出力される送信信号が小電力の回路に適用する場合であり、ＳＷ素子としてＰＩＮダイオードＤ１、Ｄ２を使用している例である。この場合、ＰＩＮダイオードＤ１、Ｄ２を用いているので、切り替え寿命に関しては問題ない。
【０００７】
しかしながら、送信アンテナを選択するためのＳＷ素子が２端子のＰＩＮダイオードＤ１、Ｄ２であるので高周波信号の通る経路と、ＳＷ切り替えの直流信号の経路とが重なる。このため、信号分離のための素子（一般には、チョークコイルか抵抗器が用いられる）が必要となる上に、制御に直流電流が必要であった。なお、図６において、抵抗器Ｒ１、コンデンサＣ１１、１２、コイルＬ１１、１２は第１のアンテナ１を選択する選択回路である。また、抵抗器Ｒ２、コンデンサＣ２１、２２、コイルＬ２１、２２は第２のアンテナ２を選択する選択回路である。
【０００８】
【特許文献１】特開２００５−２４４４４５号公報
【発明の開示】
【発明が解決しようとする課題】
【０００９】
この電流値は、切り替える信号レベルに応じて大きくする必要があった。また、耐圧の高いＰＩＮダイオードＤ１、Ｄ２が必要となる。ＰＩＮダイオードＤ１、Ｄ２によるＳＷは、ロス、リーク、歪みがトレードであるが十分実用になる。コストも安いので広く使われている。
【００１０】
但し、２端子の素子であるために交流の信号パスと直流の制御電流とが重畳するため、コンデンサによる信号結合と、インダクタ（抵抗器）による分離が必要になる。周波数がＶＨＦ帯以上の高い場合は、小形のインダクタで分離可能であるが、ＨＦ帯以下ではインダクタが大きくなってしまう問題があった。また、動作制御電流が必要となる問題があった。また、分離素子を抵抗器とすると、動作制御電流が大きいので電力ロスが大きくなってしまう問題があった。
【００１１】
本発明は前述の問題点にかんがみ、複数のアンテナの中から１つのアンテナを選択するアンテナ切り替え回路におけるロス、リーク及び歪を小さくすることができるとともに、他のアンテナの整合に影響しないように個別のアンテナ毎に対して整合を取ることができるようにすることを目的としている。
【課題を解決するための手段】
【００１２】
本発明のアンテナ切り替え回路は、高周波信号を出力するアンテナ駆動回路と、前記アンテナ駆動回路から出力される高周波信号を送信するために配設された複数のループアンテナとの間にそれぞれ介設されており、前記アンテナ駆動回路と前記複数のループアンテナのうち、選択した特定のループアンテナとの間を電気的に接続するとともに、残りのループアンテナ間と前記アンテナ駆動回路とを電気的に切断するアンテナ切り替え回路であって、前記それぞれのアンテナ切り替え回路における入力点は、前記アンテナ駆動回路から出力される高周波信号の出力点と共通に接続されるとともに、その出力点は前記複数のループアンテナの一端にそれぞれ接続され、前記複数のループアンテナの他端は、アンテナ駆動回路の動作基準点である基準電位にそれぞれ接続され、各アンテナ切り替え回路における入力点と出力点との間には、第１のコンデンサと第２のコンデンサとかなる直列回路が配設されるとともに、前記第１のコンデンサと第２のコンデンサとの間と、前記基準電位との間には、選択動作時には開放となって前記アンテナ駆動回路から出力される高周波信号を対応するループアンテナに送信し、非選択動作時には前記第１のコンデンサと第２のコンデンサとの接続点と、前記ループアンテナの他端が接続されている前記基準電位とを短絡させて、対応するループアンテナを高周波領域において遮断する半導体スイッチ回路が配設されていることを特徴とする。
また、本発明のアンテナ切り替え回路の他の特徴とするところは、前記半導体スイッチ回路は、エミッタが基準電位に接続され、ベースが制御端子に接続され、コレクタが前記第１、第２のコンデンサに接続されているトランジスタと、前記トランジスタのコレクタにカソードが接続され、前記基準電位にアノードが接続されているダイオードとを有することを特徴とする。
また、本発明のアンテナ切り替え回路のその他の特徴とするところは、前記第２のコンデンサと前記ループアンテナとの接続点と、前記基準電位との間に介設され、選択動作時には前記第２のコンデンサと前記ループアンテナとの接続点と前記基準電位との間を高周波領域において遮断し、非選択動作時には前記第２のコンデンサと前記ループアンテナとの接続点と前記基準電位との間を短絡状態とする第２の半導体スイッチ回路とを設けたことを特徴とする。
高周波信号を出力するアンテナ駆動回路と、前記アンテナ駆動回路から出力される高周波信号を送信するために配設された複数のループアンテナとの間にそれぞれ介設されており、前記アンテナ駆動回路と前記複数のループアンテナのうち、選択した特定のループアンテナとの間を電気的に接続するとともに、残りのループアンテナ間と前記アンテナ駆動回路とを電気的に切断するアンテナ切り替え回路であって、前記それぞれのアンテナ切り替え回路における入力点は、前記アンテナ駆動回路から出力される高周波信号の出力点と共通に接続されるとともに、その出力点は前記複数のループアンテナの一端にそれぞれ接続され、前記複数のループアンテナの他端は、アンテナ駆動回路の動作基準点である基準電位にそれぞれ接続され、各アンテナ切り替え回路における入力点と出力点との間には、第１のコンデンサと第２のコンデンサとかなる直列回路が配設されるとともに、前記第１のコンデンサと第２のコンデンサとの間と、前記基準電位との間には、選択動作時には開放となって前記アンテナ駆動回路から出力される高周波信号を対応するループアンテナに送信し、非選択動作時には前記第１のコンデンサと第２のコンデンサとの接続点と、前記基準電位とを短絡させて、対応するループアンテナを高周波領域において遮断する第１の半導体スイッチ回路と、前記ループアンテナの他端と前記基準電位との間に介設され、選択動作時には前記ループアンテナの他端と前記基準電位との間を高周波領域において短絡状態とし、非選択動作時には前記接続点と前記基準電位との間を遮断状態とする複数の第２の半導体スイッチ回路とを有し、前記複数個の第１及び第２の半導体スイッチ回路とループアンテナとの組み合わせのうち、選択動作している半導体スイッチ回路に接続している高周波信号伝送回路を介して前記アンテナ駆動回路から出力される高周波信号を前記ループアンテナに送信し、非選択動作している半導体スイッチ回路に対応するループアンテナを、前記第１のコンデンサと第２のコンデンサとの接続点から高周波領域において遮断するようにしたことを特徴とする。
【発明の効果】
【００１３】
本発明によれば、π型のローパスフィルター回路、或いはバンドパスフィルター回路が接続される回路のように、駆動点から基準電位間にコンデンサが接続される回路について、複数の出力端子から特定のものを選択して、出力する切り替え回路を簡単な構成で実現できる利点がある。
また、本発明の他の特徴によれば、制御に要する電力が小さくて済む。
また、本発明のその他の特徴によれば、半導体スイッチ回路がＯＮの時には高周波電流が流れるが、このときは単にＯＮ状態で飽和していればよく、高周波特性は要求されないようにすることができる。
また、本発明のその他の特徴によれば、ＯＦＦの時には高周波電流は流れないようにすることができる。これにより、単に寄生容量が小さければ良いので、スイッチトランジスタの選択が容易である。
【発明を実施するための最良の形態】
【００１４】
（第１の実施の形態）
以下、図面を参照しながら本発明の第１の実施の形態を説明する。
図１は、本発明のアンテナ切り替え回路の第１の実施の形態の概略構成を示す回路図である。また、図２は第１の実施の形態のアンテナ切り替え回路の基本構成を説明する回路図である。
【００１５】
図１及び図２の回路を説明するために、図３及び図４の回路について説明する。
図３は、アンテナ切り替え回路がなくて信号源２０からの信号を単に１個のアンテナ１１に供給する回路を示す図である。
図３において、信号源２０の一端は基準電位２１に接続されている。以下の説明において、信号源２０の出カインピーダンスを等価的にＺｓで示している。
【００１６】
π型に接続されたコイルＬ１、Ｌ２とコンデンサＣ１、Ｃ２、Ｃ３は、信号源に含まれる高調波成分を取り除くローパスフィルター回路３１である。ローパスフィルター回路３１の出力点Ｐは、第１のアンテナ１１との問にインピーダンス整合素子Ｃ４、Ｃ５を介して接続されている、いわゆる容量タップ型の整合回路である。
【００１７】
これらのコンデンサＣ１、Ｃ２、Ｃ３、Ｃ４の一端は基準電位２１に接続されている。現実には、コンデンサＣ３、Ｃ４は並列になるために、図４に示されるようにまとめてＣ６として接続されている。
【００１８】
図３及び図４において、ＲＬＯＳＳは第１のループアンテナ１１の等価損失抵抗を示している。従来のアンテナを切り替えない場合の回路は上記の構成になっているため、出カインピーダンスＺｓの信号源２０の出力はローパスフィルター回路３１とインピーダンス整合回路を介して第１のループアンテナ１１に供給されていた。
【００１９】
図１に示したように、第１の実施の形態のアンテナ切り替え回路は、コイルＬ２より左側までは図３に示した回路と全く同じ構成である。
ローパスフィルター回路３１の出力点Ｐは、コンデンサＣ６１を介して第１のトランジスタＱ１のコレクタと接続されている。また、コンデンサＣ５１の一端と第１のダイオードＤ１のカソードとが接続され、前記コンデンサＣ５１の他端は第１のループアンテナ１１に接続されている。
【００２０】
また、第１のトランジスタＱ１のエミッタは基準電位２１に接続され、第１のトランジスタＱ１のベースは第１の制御端子Ｖｉｎ１に接続されている。第１のダイオードＤ１のアノードは基準電位２１に接続されている。
【００２１】
同様に、ローパスフィルター回路３１の出力点Ｐは、コンデンサＣ６２を介して第２のトランジスタＱ２のコレクタと接続されている。また、コンデンサＣ５２と第２のダイオードＤ２のカソードとが接続されている。このコンデンサＣ５２の他端は第２のループアンテナ１２に接続されている。そして、第２トランジスタＱ２のエミッタは基準電位２１に接続され、第２トランジスタＱ２のベースは第２の制御端子Ｖｉｎ２に接続されている。また、第２のダイオードＤ２のアノードは基準電位２１に接続されている。
【００２２】
次に、前述のように構成された本実施の形態のアンテナ切り替え回路の動作を説明する。
先ず、第１のループアンテナ１１を選択する場合は、第１の制御端子Ｖｉｎ１の制御電圧を基準電位レベルとして第１のトランジスタＱ１をオフさせる。一方、第２の制御端子Ｖｉｎ２に制御電圧を印加して第２のトランジスタＱ２をオンさせる。ここで、第１及び第２のダイオードＤ１、Ｄ２は、第１のトランジスタＱ１、第２のトランジスタＱ２のコレクタ電圧が負側に振れることを防止するためのクランプ素子として動作する。
【００２３】
このときの回路動作を図２の等価回路で示す。
図２において、第１のトランジスタＱ１はオフしているので、充分小さな容量Ｃｓ１に置き換えられており、図２の等価回路ではハード構成の記載は省略されている。
同じく、第２のトランジスタＱ２は充分オンしているので、小さな飽和抵抗になっているので短絡状態として扱われており、それ以降に接続されている回路（コンデンサＣ５２、第２のループアンテナ１２）も省略されている。すなわち、ローパスフィルター回路３１の出力点ＰはＣ６２を介して基準電位２１に接続されている。
【００２４】
また、ローパスフィルター回路３１の出力点Ｐは、コンデンサＣ６１、Ｃ５１の直列容量を介して第１のループアンテナ１１に結合されており、信号源２０から出力された送信信号は第１のループアンテナ１１に供給されている。
この状態において、第１のダイオードＤ１とコンデンサＣ６１、Ｃ６２はクランプ回路として動作する。第１のダイオードＤ１とコンデンサＣ６１、Ｃ６２の接続点の電位は、重畳する交流信号が負側への最大振幅のときでも同接続点の電位は負にならないようにコンデンサＣ６１、Ｃ６２は直流的に負に充電される。これにより、第１のダイオードＤ１は順方向にバイアスされないので、電流は流れない。
【００２５】
図７に、第１のダイオードＤ１とコンデンサＣ６１、Ｃ６２の接続点の電位変動を表す波形図を示す。
図７において、矢印７１、７２で示したように、交流信号が負側への最大になった場合においても前記接続点の電位は負にならない。
【００２６】
図１と図４の回路の比較から明らかなように、図１のコンデンサＣ６１、Ｃ５１の直列容量が図４のコンデンサＣ５に相当するように選ばれており、図１のコンデンサＣ６２が図４のコンデンサＣ６に相当する容量に選ばれている。
【００２７】
すなわち、上記設計を成立させるためには、Ｃ６≧Ｃ５の条件を満足させる必要がある。
アンテナが小ループアンテナコイルで容量タップ型の整合回路では、特に損失抵抗が大きくない限り、「Ｃ４≧Ｃ５」なので、
Ｃ６＝Ｃ３＋Ｃ４≧Ｃ５・・・・・（１）式
は充分充たされる。
【００２８】
（第２の実施の形態）
次に、図８を参照しながら第２の実施の形態を説明する。
この第２の実施の形態においては、ループアンテナの数を３個にした例を示している。アンテナの選択動作は前述した第１の実施の形態と同様であるので、詳細な説明を省略する。
【００２９】
（第３の実施の形態）
図９に示すように、この例の場合は、フィルター回路がバンドパスフィルター回路３２で構成した例を示している。バンドパスフィルター回路３２は、コンデンサＣ１１、Ｃｃ及びコイルＬ１，Ｌ２などにより構成されていて、送信周波数を中心として変調幅を通過帯域としている。
【００３０】
図１０は、アンテナ切り替え回路がなくて信号源２０からの信号を単に１個のアンテナ１１に供給する回路を示す図である。
図１０において、信号源２０の一端は基準電位２１に接続されている。また、この例の場合も信号源２０の出カインピーダンスを等価的にＺｓで示している。
【００３１】
本実施の形態のように、フィルター回路３１をバンドパスフィルター回路３２で構成した場合においても、前述した第１及び第２の実施の形態の場合と同様にアンテナ切り替えを良好に行うことができる。
【００３２】
（第４の実施の形態）
次に、図１１を参照しながら本発明の第４の実施の形態を説明する。
本実施の形態においては、非選択のアンテナからの漏れを減らすために、第１のループアンテナ１１と並列にコンデンサ７１と、第４のトランジスタＱ４とを直列接続したもの接続している。また、第２のループアンテナ１２と並列にコンデンサ７２と第５のトランジスタＱ５とを直列接続したものを接続している。
【００３３】
また、第４のダイオードＤ４のカソードを第４のトランジスタＱ４のコレクタに接続し、第４のダイオードＤ４のアノードを基準電位２１に接続している。また、第５のダイオードＤ５のカソードを第５のトランジスタＱ５のコレクタに接続し、第５のダイオードＤ５のアノードを基準電位２１に接続している。第４及び第５のトランジスタＱ４、Ｑ５のベースは、制御入力端子Ｖｉｎ４、Ｖｉｎ５にそれぞれ接続されている。
【００３４】
このような構成により、第１のループアンテナ１１を選択する場合には、制御入力端子Ｖｉｎ１及びＶｉｎ４を基準電位とし、制御入力端子Ｖｉｎ２、Ｖｉｎ５に制御電圧を印加して、第１のトランジスタＱ１をオフ、第２のトランジスタＱ２をオンさせる。かつ、選択した第１のループアンテナ１１と並列接続した第４のトランジスタＱ４をオフさせ、非選択の第２のループアンテナ１２と並列接続した第５のトランジスタＱ５をオンさせるようにした例である。なお、第２のループアンテナ１２を選択するときは、各制御端子Ｖｉｎ１、Ｖｉｎ２、Ｖｉｎ４及びＶｉｎ５への印加条件を入れかえるようにすればよい。
【００３５】
本実施の形態は、第１のループアンテナ１１とインピーダンス整合のためのコンデンサＣ５１の直列インピーダンスが直列共振動作で低くなる場合には、第１のトランジスタＱ１の低いオン抵抗でも十分に分離できなくなるので、対策した例である。
【００３６】
第４及び第５のダイオードＤ４、Ｄ５は、それぞれコンデンサ７１、７２とで第４及び第５のトランジスタＱ４、Ｑ５のコレクタが基準電位２１よりも負にならないようにするためのクランプ回路として動作している。
【００３７】
（第５の実施の形態）
次に、図１２を参照しながら第５の実施の形態を説明する。
この例の場合は、第１のループアンテナ１１の基準電位側との接続を外して、第６のトランジスタＱ６を挿入する。そして、アンテナ１２の基準電位側との接続を外して、第７のトランジスタＱ７を挿入し、第６のダイオードＤ６のカソードを第６のトランジスタＱ６のコレクタに接続し、第６のダイオードＤ６のアノードを基準電位２１に接続している。
【００３８】
第７のダイオードＤ７のカソードを第７のトランジスタＱ７のコレクタに接続し、第７のダイオードＤ７のアノードを基準電位２１に接続している。第６及び第７のトランジスタＱ６、Ｑ７のベースを制御入力端子Ｖｉｎ６、Ｖｉｎ７に接続している。
【００３９】
第１のループアンテナ１１を選択する場合には、制御入力端子Ｖｉｎ１、Ｖｉｎ７を基準電位とし、制御入力端子Ｖｉｎ２、Ｖｉｎ６に制御電圧を印加して、選択する第１のループアンテナ１１に直列に接続されている第６のトランジスタＱ６をオンさせる。
【００４０】
また、選択しない第２のループアンテナ１２と直列に接続されている第７のトランジスタＱ７をオフさせて、非選択の第２のループアンテナ１２からの漏れを減らすようにした例である。第６及び第７のダイオードＤ６、Ｄ７は、それぞれコンデンサＣ５１、Ｃ５２とで第６、第７のトランジスタＱ６、Ｑ７のコレクタが基準電位２１よりも負にならないようにするためのクランプ回路として動作している。
【００４１】
本実施の形態においては、第１のループアンテナ１１とインピーダンス整合のためのコンデンサＣ５１の直列インピーダンスが直列共振動作で低くなる場合に、第１のトランジスタＱ１の低いオン抵抗でも十分に分離できなくなる問題点を解消することができる。
【図面の簡単な説明】
【００４２】
【図１】第１の実施の形態のアンテナ切り替え回路の概略構成を示す回路図である。
【図２】第１の実施の形態のアンテナ切り替え回路の基本構成を説明する回路図である。
【図３】アンテナ切り替え回路がなくて、信号源からの信号を単に１個のアンテナに供給する回路を示す図である。
【図４】図３のコンデンサをまとめて示した図である。
【図５】第１の背景技術を説明する図である。
【図６】第２の背景技術を説明する図である。
【図７】第１のダイオードとコンデンサの接続点の電位変動を表す波形図である。
【図８】第２の実施の形態を示し、ループアンテナの数を３個にした例を示す図である。
【図９】第３の実施の形態のアンテナ切り替え回路の概略構成を示す回路図である。
【図１０】アンテナ切り替え回路がなくて信号源からの信号を単に１個のアンテナに供給する回路例を示す図である。
【図１１】第４の実施の形態のアンテナ切り替え回路の概略構成を示す回路図である。
【図１２】第５の実施の形態のアンテナ切り替え回路の概略構成を示す回路図である。
【符号の説明】
【００４３】
２０  信号源
２１  基準電位
３１  ローパスフィルター回路
Ｌ１、Ｌ２  コイル
Ｃ１、Ｃ２、Ｃ３  コンデンサ
１１  第１のループアンテナ
１２  第２のループアンテナ
ＲＬＯＳＳ  ループアンテナの等価損失抵抗
Ｚｓ  出カインピーダンス
Ｐ  フィルター回路の出力点
Ｑ１  第１のトランジスタ
Ｑ２  第２のトランジスタ
Ｄ１  第１のダイオード
Ｄ２  第２のダイオード
Ｖｉｎ１  第１の制御端子
Ｖｉｎ２  第２の制御端子
【図１】
0004685563.tif 000002
【図２】
0004685563.tif 000003
【図３】
0004685563.tif 000004
【図４】
0004685563.tif 000005
【図５】
0004685563.tif 000006
【図６】
0004685563.tif 000007
【図７】
0004685563.tif 000008
【図８】
0004685563.tif 000009
【図９】
0004685563.tif 000010
【図１０】
0004685563.tif 000011
【図１１】
0004685563.tif 000012
【図１２】
0004685563.tif 000013